(57)【要約】【課題】原稿媒体の収容数が増加し、現像機構及び定着機構が損傷しにくく、原稿媒体がトナーで汚れにくく、原稿媒体がカールしにくい複合機を提供する。【解決手段】主搬送路は、第１の分岐、転写機構、定着機構及び第２の分岐を順次に経由して給紙カセットから排紙トレイへ延びる。反転搬送路は、転写機構及び定着機構を迂回して第２の分岐から第１の分岐へ延びる。反転搬送路は、第２の分岐から第１の分岐へ戻る用紙の表裏を反転する。搬送機構は、スキャンボタンが押された場合にスキャン用の経路に沿って媒体を搬送し、コピーボタンが押された場合にコピー用の経路に沿って媒体を搬送する。スキャン用の経路は、転写機構及び定着機構を通過せず読み取り機構及び反転搬送路を経由する。コピー用の経路は、転写機構及び定着機構を順次に通過する。給紙カセットには処理前の用紙の束が収容され、排紙トレイには処理後の用紙が保持される。【選択図】図２
2012154988.tif 000002
【特許請求の範囲】
【請求項１】
複合機であって、
処理前の媒体の束を収容する収容構造と、
処理後の媒体を保持する保持構造と、
通過する媒体の主面にトナー画像を転写する転写機構と、
通過する媒体の主面に転写されたトナー画像を媒体に定着させる定着機構と、
第１の分岐、前記転写機構、前記定着機構及び第２の分岐を順次に経由して前記収容構造から前記保持構造へ延びる主搬送路と前記転写機構及び前記定着機構を迂回して前記第２の分岐から前記第１の分岐へ延び前記第２の分岐から前記第１の分岐へ戻る媒体の表裏を反転する反転搬送路とを備える搬送路網に沿って媒体を搬送する搬送機構と、
第１の操作及び第２の操作を検出する検出部と、
前記検出部が前記第１の操作を検出した場合に前記転写機構及び前記定着機構を通過せず前記反転搬送路を経由する第１の経路に沿って前記搬送機構に媒体を搬送させ、前記検出部が前記第２の操作を検出した場合に前記転写機構及び前記定着機構を順次に通過する第２の経路に沿って前記搬送機構に媒体を搬送させる第１の制御部と、
前記第１の経路に経由され通過する媒体の主面に形成された画像を読み取る読み取り機構と、
を備える複合機。
【請求項２】
請求項１の複合機において、
前記主搬送路の前記収容構造から前記転写機構までの区間は第３の分岐を経由し、
前記反転搬送路は第４の分岐を経由し、
前記搬送路網は前記第３の分岐から前記第４の分岐へ延びる追加搬送路を備え、
前記第１の経路は前記追加搬送路を経由し、
前記第２の経路は前記追加搬送路を経由しない
複合機。
【請求項３】
請求項２の複合機において、
前記追加搬送路は前記読み取り機構を経由する
複合機。
【請求項４】
請求項１又は請求項２の複合機において、
前記主搬送路の前記収容構造から前記転写機構までの区間は前記読み取り機構を経由し、
前記複合機は、
前記読み取り機構の読み取り結果から媒体の主面に画像が形成されていることを検出した場合に前記転写機構によるトナー画像の転写及び前記定着機構によるトナー画像の定着を中止させる第２の制御部
をさらに備える
複合機。
【請求項５】
請求項１から請求項４までのいずれかの複合機において、
前記検出部が前記第１の操作を検出した場合に前記転写機構によるトナー画像の転写のための動作及び前記定着機構によるトナー画像の定着のための動作を停止させ、前記検出部が前記第２の操作を検出した場合に前記転写機構によるトナー画像の転写のための動作及び前記定着機構によるトナー画像の定着のための動作を実行させる第３の制御部
をさらに備える複合機。
【請求項６】
請求項１から請求項５までのいずれかの複合機において、
前記収容構造に設けられる第１の操作部材と、
前記収容構造以外に設けられる第２の操作部材と、
をさらに備え、
前記第１の操作及び前記第２の操作は、それぞれ、前記第１の操作部材及び前記第２の操作部材に対する操作である
複合機。
【請求項７】
請求項１から請求項６までのいずれかの複合機において、
情報を表示する表示装置と、
前記検出部が前記第１の操作を検出した場合及び前記検出部が前記第２の操作を検出した場合に前記第１の制御部が前記搬送機構に媒体を搬送させる前に操作の正否の確認を求める情報を前記表示装置に表示させる第４の制御部と、
をさらに備える複合機。
【発明の詳細な説明】
【技術分野】
【０００１】
本発明は、媒体の主面に画像を形成し媒体の主面に形成された画像を読み取る複合機に関する。
【背景技術】
【０００２】
一般的なMulti Function Peripherals（ＭＦＰ）が記録用紙に印刷を行う場合には、転写機構及び定着機構を順次に経由して用紙カセットから排紙トレイへ記録用紙が搬送される。記録用紙が転写機構を通過するときには、トナー画像が記録用紙の主面に転写される。記録用紙が定着機構を通過するときには、記録用紙の主面に転写されたトナー画像が記録用紙に定着させられる。
【０００３】
一般的なＭＦＰが原稿用紙を読み取るときには、読み取り機構を経由してAutomatic Document Feeder（ＡＤＦ）から排紙トレイへ原稿用紙が搬送される。原稿用紙が読み取り機構を通過するときには、原稿用紙の主面に形成された画像が読み取られる。
【０００４】
一般的なＭＦＰにおいては、用紙カセットは相対的に多量の記録用紙を保持できるが、ＡＤＦは相対的に少量の原稿用紙しか保持できない。
【０００５】
特許文献１の複合機は、用紙カセットに記録用紙又は原稿用紙を保持させ、記録用紙が搬送される経路と原稿用紙が搬送される経路とを共通化し、共通化された経路に転写機構、定着機構及び読み取り機構を経由させる。これにより、多量の原稿用紙が用紙カセットに保持される。
【先行技術文献】
【特許文献】
【０００６】
【特許文献１】特開平６−１１３０５３号公報
【発明の概要】
【発明が解決しようとする課題】
【０００７】
しかし、特許文献１の複合機においては、原稿用紙が転写機構及び定着機構を通過する。このため、転写機構及び定着機構が損傷しやすい。また、原稿用紙がトナーで汚れやすくカールしやすい。
【０００８】
本発明は、この問題を解決するためになされる。本発明の目的は、原稿媒体の収容数が増加し、転写機構及び定着機構が損傷しにくく、原稿媒体がトナーで汚れにくく、原稿媒体がカールしにくい複合機を提供することである。
【課題を解決するための手段】
【０００９】
本発明は複合機に向けられる。
【００１０】
（１）本発明の第１の局面においては、収容構造に処理前の媒体の束が収容され、保持構造に処理後の媒体が保持され、搬送機構が搬送路網に沿って媒体を搬送する。搬送路網は、主搬送路及び反転搬送路を備える。主搬送路は、第１の分岐、転写機構、定着機構及び第２の分岐を順次に経由して収容構造から保持構造へ延びる。反転搬送路は、転写機構及び定着機構を迂回して第２の分岐から第１の分岐へ延びる。反転搬送路は、第２の分岐から第１の分岐へ戻る媒体の表裏を反転する。
【００１１】
第１の制御部は、検出部が第１の操作を検出した場合に、第１の経路に沿って搬送機構に媒体を搬送させる。第１の経路は、転写機構及び定着機構を通過せず読み取り機構を通過する。第１の経路は反転搬送路を経由する。媒体が読み取り機構を通過するときに、読み取り機構が媒体の主面に形成された画像を読み取る。
【００１２】
第１の制御部は、検出部が第２の操作を検出した場合に、第２の経路に沿って搬送機構に媒体を搬送させる。第２の経路は、転写機構及び定着機構を順次に通過する。媒体が転写機構を通過するときに、転写機構が媒体の主面にトナー画像を転写する。媒体が定着機構を通過するときに、定着機構が媒体の主面に転写されたトナー画像を媒体に定着させる。
【００１３】
（２）本発明の第２の局面は、本発明の第１の局面にさらなる事項を付加する。本発明の第２の局面においては、主搬送路の収容構造から転写機構までの区間が第３の分岐を経由し、反転搬送路が第４の分岐を経由する。搬送路網は、追加搬送路を備える。追加搬送路は、第３の分岐から第４の分岐へ延びる。第１の経路は、追加搬送路を経由する。第２の経路は、追加搬送路を経由しない。
【００１４】
（３）本発明の第３の局面は、本発明の第２の局面にさらなる事項を付加する。本発明の第３の局面においては、追加搬送路が読み取り機構を経由する。
【００１５】
（４）本発明の第４の局面は、本発明の第１又は第２の局面にさらなる事項を付加する。本発明の第４の局面においては、主搬送路の収容構造から転写機構までの区間が読み取り機構を経由する。第２の制御部は、読み取り機構の読み取り結果から媒体の主面に画像が形成されていることを検出した場合に転写機構によるトナー画像の転写及び定着機構によるトナー画像の定着を中止させる。
【００１６】
（５）本発明の第５の局面は、本発明の第１から第４までのいずれかの局面にさらなる事項を付加する。本発明の第５の局面においては、検出部が第１の操作を検出した場合に、転写機構によるトナー画像の転写のための動作及び定着機構によるトナー画像の定着のための動作を第３の制御部が停止させる。検出部が第２の操作を検出した場合に、第３の制御部は、転写機構によるトナー画像の転写のための動作及び定着機構によるトナー画像の定着のための動作を実行させる。
【００１７】
（６）本発明の第６の局面は、本発明の第１から第５までのいずれかの局面にさらなる事項を付加する。本発明の第６の局面においては、第１の操作部材が収容構造に設けられ、第２の操作部材が収容構造以外に設けられる。第１の操作及び第２の操作は、それぞれ、第１の操作部材及び第２の操作部材に対する操作である。
【００１８】
（７）本発明の第７の局面は、本発明の第１から第６までのいずれかの局面にさらなる事項を付加する。本発明の第７の局面においては、第４の制御部が、操作の正否の確認を求める情報を表示装置に表示させる。当該情報が表示されるのは、検出部が第１の操作を検出した場合及び検出部が第２の操作を検出した場合である。当該情報は、第１の制御部が搬送機構に媒体を搬送させる前に表示される。
【発明の効果】
【００１９】
本発明の第１の局面によれば、記録媒体が収容される収容構造に原稿媒体が収容され、原稿媒体の収容数が増加する。また、原稿媒体が転写機構及び定着機構を通過せず、転写機構及び定着機構が損傷しにくく、原稿媒体がトナーで汚れにくく、原稿媒体がカールしにくい。
【００２０】
本発明の第２の局面によれば、第１の分岐における媒体の流れが単純になり、搬送機構が単純になる。
【００２１】
本発明の第３の局面によれば、記録媒体に画像が形成される場合に記録媒体が読み取り機構を通過せず、媒体が読み取り機構を通過する回数が減り、読み取り機構が劣化しにくい。
【００２２】
本発明の第４の局面によれば、画像が形成されている媒体に画像が重ねて形成されず、誤操作による原稿媒体への画像の形成が抑制される。
【００２３】
本発明の第５の局面によれば、転写機構及び定着機構へ供給される電力が減少し、複合機の消費電力が減少する。
【００２４】
本発明の第６の局面によれば、第１の操作と第２の操作とが容易に識別され、誤操作が抑制される。
【００２５】
本発明の第７の局面によれば、操作の正否が確認され、誤操作が抑制される。
【図面の簡単な説明】
【００２６】
【図１】複合機の斜視図である。
【図２】複合機の内部の模式図である。
【図３】スキャン用の経路を示す図である。
【図４】片面コピー用の経路を示す図である。
【図５】両面コピー用の経路を示す図である。
【図６】複合機の参考例を示す模式図である。
【図７】複合機の参考例を示す模式図である。
【発明を実施するための形態】
【００２７】
図１及び図２は、複合機の望ましい実施形態を示す。図１は、複合機の斜視図である。図２は、複合機の内部の模式図である。
【００２８】
図１及び図２に示す複合機１００は、スキャン機能、コピー機能、ファックス機能及びプリント機能を有する。これらの機能の一部が省略されてもよく、これらの機能以外の機能が追加されてもよい。ただし、複合機１００は、少なくとも、用紙に形成された画像を読み取り、用紙に画像を形成する。
【００２９】
複合機１００が処理する用紙には、画像が読み取られる原稿用紙及び画像が形成される記録用紙がある。用紙がOverHead Projector（ＯＨＰ）シート等の他の媒体に置き換えられてもよい。複合機１００は、より一般的には、媒体に形成された画像を読み取り、媒体に画像を形成する。
【００３０】
図１に示すように、複合機１００は、給紙カセット１０２、排紙トレイ１０４、Automatic Document Feeder （ＡＤＦ）１０６、Flat Bed Scanner （ＦＢＳ）１０８及び操作パネル１１０を備える。操作パネル１１０は、パッチパネル１１２及びコピーボタン１１４を備える。給紙カセット１０２の前面にはスキャンボタン１１６が設けられる。
【００３１】
複合機１００にスキャンを行わせる場合は、画像が読み取られる前の原稿用紙の束が給紙カセット１０２に収容される。スキャンボタン１１６が押されるのに続いて、原稿用紙に形成された画像が読み取られる。画像が読み取られた後の原稿用紙は排紙トレイ１０４へ排出される。ＡＤＦ１０６又はＦＢＳ１０８に置かれた原稿用紙が読み取られてもよい。
【００３２】
複合機１００にコピーを行わせる場合は、ＡＤＦ１０６に原稿用紙が置かれ、画像が形成される前の記録用紙の束が給紙カセット１０２に収容される。コピーボタン１１４が押されるのに続いて、ＡＤＦ１０６に置かれた原稿用紙に形成された画像が読み取られ、読み取られた画像が記録用紙に形成される。画像が形成された後の記録用紙は排紙トレイ１０４へ排出される。ＡＤＦ１０６に代えてＦＢＳ１０８に置かれた原稿用紙が読み取られてもよい。
【００３３】
給紙カセット１０２は、用紙の束を収容する収容室が内部に形成された箱型の構造物である。複合機１００においては、給紙カセット１０２が本体から引き出された場合又は給紙カセット１０２が本体から取り外された場合に収容室が露出する。給紙カセット１０２には、ＡＤＦ１０６に置かれる用紙よりも多くの用紙が収容される。例えば、ＡＤＦ１０６には数１０枚の用紙が置かれ、給紙カセット１０２には１００枚以上の用紙が収容される。複合機１００においては、通常は記録用紙の束が収容される給紙カセット１０２に原稿用紙の束が収容され、原稿用紙の収容数が増加する。
【００３４】
排紙トレイ１０４は、用紙を保持する構造物である。排紙トレイ１０４が「トレイ」の範疇に含まれない構造物に置き換えられてもよい。
【００３５】
複合機１００においては、スキャンボタン１１６が給紙カセット１０２に設けられ、コピーボタン１１４が操作パネル１１０に設けられる。このため、複合機１００にスキャンを行わせる操作及び複合機１００にコピーを行わせる操作が容易に識別され、誤操作が抑制される。
【００３６】
操作の識別を容易にするためには、スキャンボタン１１６が給紙カセット１０２に設けられ、コピーボタン１１４が給紙カセット１０２以外に設けられればよい。したがって、コピーボタン１１４が操作パネル１１０以外に設けられてもよい。操作の識別を容易にすることが強く求められない場合は、コピーボタン１１４及びスキャンボタン１１６の両方が操作パネル１１０に設けられてもよい。
【００３７】
複合機１００にコピーを行わせる操作及び複合機１００にスキャンを行わせる操作の両方又は片方は、ボタン以外の操作部材に対する操作であってもよく、２個以上の操作部材に対する操作の組み合わせであってもよい。
【００３８】
図２に示すように、複合機１００は、転写機構１１８、定着機構１２０、読み取り機構１２２、レジスト機構１２４、搬送機構１２６、検出部１２８、第１の制御部１３０、第２の制御部１３２、第３の制御部１３４及び第４の制御部１３５をさらに備える。第１の制御部１３０、第２の制御部１３２、第３の制御部１３４及び第４の制御部１３５は、制御用のソフトウエアを実行する組み込みコンピュータである。第１の制御部１３０、第２の制御部１３２、第３の制御部１３４及び第４の制御部１３５は、同じ組み込みコンピュータであってもよいし、異なる組み込みコンピュータであってもよい。第１の制御部１３０、第２の制御部１３２、第３の制御部１３４及び第４の制御部１３５の機能の全部又は一部がソフトウエアを伴わないハードウエアに担われてもよい。ハードウエアは、電子回路であってもよいし、機械的機構であってもよい。
【００３９】
搬送機構１２６は、搬送路網１４２に沿って用紙を搬送する。搬送路網１４２は、主搬送路１４４及び反転搬送路１４６を備える。主搬送路１４４は、第１の分岐１５０、レジスト機構１２４、転写機構１１８、定着機構１２０及び第２の分岐１５４を順次に経由して給紙カセット１０２から排紙トレイ１０４へ延びる。主搬送路１４４の画像形成区間１５２は、転写機構１１８及び定着機構１２０を経由して始端１５６から終端１５８へ延びる。画像形成区間１５２において記録用紙の主面に画像が形成される。反転搬送路１４６は、転写機構１１８及び定着機構１２０を迂回して第２の分岐１５４から第１の分岐１５０へ延びる。
【００４０】
搬送路網１４２は、追加搬送路１４８をさらに備える。追加搬送路１４８は、第３の分岐１６０から第４の分岐１６２へ延びる。主搬送路１４４の給紙カセット１０２から転写機構１１８までの区間は、第３の分岐１６０を経由する。反転搬送路１４６は、第４の分岐１６２を経由する。図２においては主搬送路１４４の第１の分岐１５０から転写機構１１８までの区間が第３の分岐１６０を経由しているが、主搬送路１４４の給紙カセット１０２から第１の分岐１５０までの区間が第３の分岐１６０を経由してもよい。
【００４１】
搬送機構１２６は、搬送ローラ１３６並びに経路切り替え機構１３７，１３８及び１３９を備える。搬送ローラ１３６は、用紙を送る。経路切り替え機構１３７，１３８及び１３９は、それぞれ、第２の分岐１５４、第３の分岐１６０及び第４の分岐１６２において経路を切り替える。搬送ローラ１３６のうち、反転搬送路１４６の第４の分岐１６２から第２の分岐１５４までの区間における用紙の搬送を担う搬送ローラ１４０は、両方向に用紙を送る。搬送ローラ１３６のうち、主搬送路１４４の第２の分岐１５４から排紙トレイ１０４までの区間における用紙の搬送を担う搬送ローラ１４１も、両方向に用紙を送る。経路切り替え機構１３７，１３８及び１３９は、それぞれ、第２の分岐１５４、第３の分岐１６０及び第４の分岐１６２において用紙が進行しない搬送路を閉塞する。搬送機構１２６は、搬送ローラ１３６が用紙を送る方向及び経路切り替え機構１３７，１３８及び１３９が閉塞する搬送路を変更し、用紙が搬送される経路を切り替える。
【００４２】
第１の分岐１５０において主搬送路１４４の用紙カセット１０２の側（以下では「主搬送路１４４の上流側」という。）と反転搬送路１４６とは鋭角をなす。主搬送路１４４の上流側から第１の分岐１５０へ到達する用紙は主搬送路１４４の排紙トレイ１０４の側（以下では「主搬送路１４４の下流側」という。）へ道なりに進行し、反転搬送路１４６から第１の分岐１５０へ到達する用紙も主搬送路１４４の下流側へ道なりに進行する。主搬送路１４４の下流側から第１の分岐１５０へ到達する用紙は通常は存在しない。
【００４３】
第２の分岐１５４において主搬送路１４４の上流側と反転搬送路１４６とは鋭角をなす。主搬送路１４４の上流側から第２の分岐１５４へ到達する用紙は主搬送路１４４の下流側へ道なりに進行し、反転搬送路１４６から第２の分岐１５４に到達する用紙も主搬送路１４４の下流側へ道なりに進行する。主搬送路１４４の上流側から第２の分岐１５４へ用紙が到達する場合は、経路切り替え機構１３７は反転搬送路１４６を閉塞する。反転搬送路１４６から第２の分岐１５４へ用紙が到達する場合は、経路切り替え機構１３７は主搬送路１４４の上流側を閉塞する。経路切り替え機構１３７が主搬送路１４４の上流側を閉塞しているときに主搬送路１４４の下流側から第２の分岐１５４へ到達する用紙は反転搬送路１４６へ進行する。
【００４４】
第３の分岐１６０において主搬送路１４４の下流側と追加搬送路１４８とは鋭角をなす。経路切り替え機構１３８が主搬送路１４４の下流側を閉塞しているときに主搬送路１４４の上流側から第３の分岐１６０へ到達する用紙は追加搬送路１４８へ進行する。経路切り替え機構１３８が追加搬送路１４８を閉塞しているときに主搬送路１４４の上流側から第３の分岐１６０へ到達する用紙は主搬送路１４４の下流側へ進行する。
【００４５】
第４の分岐１６２において反転搬送路１４６の第１の分岐１５０の側（以下では「反転搬送路１４６の下流側」という）と追加搬送路１４８とは鋭角をなす。追加搬送路１４８から第４の分岐１６２へ到達する用紙は、反転搬送路１４６の第２の分岐１５４の側（以下では「反転搬送路１４６の上流側」という）へ道なりに進行する。追加搬送路１４８から第４の分岐１６２へ用紙が到達する場合は、経路切り替え機構１３９が反転搬送路１４６の下流側を閉塞する。経路切り替え機構１３９が追加搬送路１４８を閉塞しているときに反転搬送路１４６の上流側から第４の分岐１６２へ到達する用紙は反転搬送路１４６の下流側へ進行する。
【００４６】
第１の制御部１３０は、スキャンボタン１１６が押されたことを検出部１２８が検出した場合に、図３に示すスキャン用の経路１６４に沿って原稿用紙９００を一枚ずつ搬送機構１２６に搬送させる。スキャン用の経路１６４は、主搬送路１４４の給紙カセット１０２から第３の分岐１６０までの区間、追加搬送路１４８の全体、反転搬送路１４６の第４の分岐１６２から第２の分岐１５４までの区間及び主搬送路１４４の第２の分岐１５４から排紙トレイ１０４までの区間を順次に経由する。スキャン用の経路１６４は、転写機構１１８及び定着機構１２０を通過しない。原稿用紙９００は、反転搬送路１４６を逆行する。
【００４７】
スキャン用の経路１６４に沿って原稿用紙９００が搬送される間に、原稿用紙９００は読み取り機構１２２を通過する。読み取り機構１２２を通過するときに、原稿用紙９００の主面に形成されている画像が読み取り機構１２２に読み取られる。読み取り機構１２２は、Charge Coupled Device（ＣＣＤ）イメージセンサ等により画像を読み取る。
【００４８】
これにより、原稿用紙９００が転写機構１１８及び定着機構１２０を通過せず、転写機構１１８及び定着機構１２０が損傷しにくくなり、原稿用紙がトナーで汚れにくくなり、原稿用紙がカールしにくくなる。
【００４９】
原稿用紙９００は、読み取り機構１２２を通過する前にレジスト機構１２４を通過し、両端が揃えられる。
【００５０】
第１の制御部１３０は、コピーボタン１１４が押されたことを検出部１２８が検出した場合に、図４に示す片面コピー用の経路１６８又は図５に示す両面コピー用の経路１７０に沿って記録用紙９０２を一枚ずつ搬送機構１２６に搬送させる。
【００５１】
片面コピー用の経路１６８は、主搬送路１４４の全体を経由する。
【００５２】
片面コピー用の経路１６８に沿って記録用紙９０２が搬送される間に、記録用紙９０２が画像形成区間１５２を１回通過する。記録用紙が画像形成区間１５２を通過するときには、記録用紙９０２の第１の主面に画像が形成される。記録用紙９０２が画像形成区間１５２を通過するときには、記録用紙９０２が転写機構１１８及び定着機構１２０を順次に通過する。記録用紙９０２が転写機構１１８を通過するときに、転写機構１１８により記録用紙９０２の主面にトナー画像が転写される。記録用紙９０２が定着機構１２０を通過するときに、記録用紙９０２に転写されたトナー画像は定着機構１２０により記録用紙９０２に定着させられる。片面コピー用の経路１６８は、追加搬送路１４８を経由しない。
【００５３】
両面コピー用の経路１７０は、主搬送路１４４の給紙カセット１０２から折り返し位置１７２までの区間、主搬送路１４４の折り返し位置１７２から第２の分岐１５４までの区間、反転搬送路１４６の全体及び主搬送路１４４の第１の分岐１５０から排紙トレイ１０４までの区間を順次に経由する。折り返し位置１７２は、主搬送路１４４の第２の分岐１５４から排紙トレイ１０４までの区間にある。両面コピー用の経路１７０は、追加搬送路１４８を経由しない。記録用紙９０２は、反転搬送路１４６を順行する。
【００５４】
両面コピー用の経路１７０に沿って記録用紙が搬送される間に、記録用紙９０２が画像形成区間１５２を２回通過する。記録用紙９０２が１回目に画像形成区間１５２を通過するときには、記録用紙９０２の第１の主面に画像が形成される。記録用紙９０２が２回目に画像形成区間１５２を通過するときには、記録用紙９０２の第２の主面に画像が形成される。記録用紙が１回目に画像形成区間１５２を通過するときと２回目に画像形成区間１５２と通過するときとの間には、記録用紙９０２が反転搬送路１４６を通過して第２の分岐１５４から第１の分岐１５０へ戻り、記録用紙９０２の表裏が反転される。
【００５５】
原稿用紙９０２は、画像形成区間１５２を通過する前にレジスト機構１２４を通過し、両端が揃えられる。
【００５６】
スキャン用の経路１６４が図３に示すように追加搬送路１４８を経由する場合は、第１の分岐１５０における用紙の流れが単純になり、搬送機構１２６が単純になる。この利点は、追加搬送路１４８が設けられる場合と追加搬送路１４８が省略される場合とを対比することにより理解される。追加搬送路１４８が省略される場合は、主搬送路１４４を進行する用紙、反転搬送路１４６から主搬送路１４４へ進行する用紙及び主搬送路１４４から反転搬送路１４６へ進行する用紙が第１の分岐１５０を通過し、複雑な経路の切り替えが要求される。ただし、複雑な経路の切り替えが許容される場合は、追加搬送路１４８が省略されてもよい。
【００５７】
追加搬送路１４８が省略される場合は、スキャン用の経路１６４は、主搬送路１４４の給紙カセット１０２から第１の分岐１５０までの区間、反転搬送路１４６の全体及び主搬送路１４４の第２の分岐１５４から排紙トレイ１０４までの区間を順次に経由する。
【００５８】
読み取り機構１２２は、図２において実線で示すように、主搬送路１４４の給紙カセット１０２から転写機構１１８までの区間に設けられる。
【００５９】
第２の制御部１３２は、読み取り機構１２２の読み取り結果から用紙の主面に画像が形成されていることを検出した場合に転写機構１１８によるトナー画像の転写及び定着機構１２０によるトナー画像の定着を中止させる。これにより、画像が形成されている用紙に画像が重ねて形成されず、誤操作による原稿用紙への画像の形成が抑制される。
【００６０】
転写機構１１８によるトナー画像の転写のための動作及び定着機構１２０によるトナー画像の定着のための動作を停止させることにより転写機構１１８によるトナー画像の転写及び定着機構１２０によるトナー画像の定着は中止される。用紙が搬送される経路を片面コピー用の経路１６８又は両面コピー用の経路１７０からスキャン用の経路１６４へ変更することにより転写機構１１８によるトナー画像の転写及び定着機構１２０によるトナー画像の定着が中止されてもよい。
【００６１】
転写機構１１８によるトナー画像の転写のための動作とは、トナー画像の転写のためだけに必要な固有の動作をいう。例えば、転写ドラム１７４に形成された静電潜像を現像する現像機構１７８の起動である。したがって、トナー画像の転写以外のために必要な動作は停止されない。例えば、用紙を搬送するために必要な転写ドラム１７４の回転は停止されない。
【００６２】
定着機構１２０によるトナー画像の定着のための動作とは、トナー画像の定着のためだけに必要な固有の動作をいう。例えば、定着ドラム１８０に内蔵されたヒータ１８２の起動である。したがって、トナー画像の定着以外のために必要な動作は停止されない。例えば、用紙を搬送するために必要な定着ドラム１８０の回転は停止されない。
【００６３】
スキャン用の経路１６４が経由する位置であれば、読み取り機構１２２の位置が変更されてもよい。
【００６４】
例えば、読み取り機構１２２は、図２において一点破線で示すように、追加搬送路１４８が経由する位置に設けられる。これにより、複合機１００にコピーを行わせる場合に記録用紙が読み取り機構１２２を通過せず、用紙が読み取り機構１２２を通過する回数が減り、用紙が読み取り面をこする回数が減り、読み取り機構１２２が劣化しにくくなる。
【００６５】
第３の制御部１３４は、スキャンボタン１１６が押されたことを検出部１２８が検出した場合に転写機構１１８によるトナー画像の転写及び定着機構１２０によるトナー画像の定着のための動作を停止させ、コピーボタン１１４が押されたことを検出部１２８が検出した場合に用紙の搬送の前に転写機構１１８によるトナー画像の転写のための動作及び定着機構１２０によるトナー画像の定着のための動作を実行させる。これにより、転写機構１１８及び定着機構１２０へ供給される電力が減少し、複合機１００の消費電力が減少する。スキャンボタン１１６が押された場合は、記録用紙に画像が形成されないので、転写機構１１８によるトナー画像の転写のための動作及び定着機構１２０によるトナー画像の定着のための動作を停止させても問題はない。
【００６６】
第４の制御部１３５は、スキャンボタン１１６が押されたことを検出部１２８が検出した場合及びコピーボタン１１４が押されたことを検出部１２８が検出された場合に操作の正否の確認を求める情報をタッチパネル１１２に表示させる。当該情報は、第１の制御部１３０が搬送機構１２６に用紙を搬送させる前に表示される。これにより、操作の正否が確認され、誤操作が抑制される。
【００６７】
望ましい実施形態とは別に、複合機の参考例が図６及び図７に示される。図６及び図７は、模式図である。
【００６８】
図６に示す複合機５００は、給紙ユニット５０２、レジスト部５０４、現像部５０６、カートリッジ５０８、定着部５１０、排紙部５１２及び両面部５１４を備える。図７に示す複合機５００においては、図６に示す現像部５０６及びカートリッジ５０８が読み取り部５１６に交換されている。
【００６９】
複合機５００にコピーを行わせる場合は、図６に示すように、現像部５０６及び定着部５１０を１回又は２回通過する経路５１８に沿って記録用紙が搬送される。
【００７０】
複合機１００にスキャンを行わせる場合は、図７に示すように、コピーを行わせる場合と同じ経路５１８に沿って原稿用紙が搬送される。原稿用紙は読み取り部５１６を１回又は２回通過し、原稿用紙の片面又は両面が読み取られる。複合機５００にスキャンを行わせる場合は、定着部５１０の定着ローラ５２０は回転させられるが、ヒータ５２２はオンされない。
【００７１】
このように、現像部５０６と読み取り部５１６とを交換可能にすることも考えられる。
【符号の説明】
【００７２】
１００  複合機
１０２  給紙カセット
１０４  排紙トレイ
１１４  コピーボタン
１１６  スキャンボタン
１１８  転写機構
１２０  定着機構
１２２  読み取り機構
１２６  搬送機構
１４４  主搬送路
１４６  反転搬送路
１６４  スキャン用の経路
１６８  片面コピー用の経路
１７０  両面コピーの経路
【図１】
2012154988.tif 000003
【図２】
2012154988.tif 000004
【図３】
2012154988.tif 000005
【図４】
2012154988.tif 000006
【図５】
2012154988.tif 000007
【図６】
2012154988.tif 000008
【図７】
2012154988.tif 000009